(57)【要約】      （修正有）【課題】電撃蚊取り器及び照明ランプとして機能する状態、電撃蚊取り器としては機能せず照明ランプとしてのみ機能する状態、電撃蚊取り器として機能し照明ランプとしては機能しない状態、電撃蚊取り器としても照明ランプとしても機能しない状態を切り替えることが可能な電撃蚊取りランプを提供する。【解決手段】電撃蚊取りユニットと、照明ユニットとが組み合わされてなる電撃蚊取りランプ１であって、前記電撃蚊取りランプと電源１１との間に介装されているＯＮ／ＯＦＦ切り替えスイッチ１２によって、前記電撃蚊取りユニットが稼働し、前記照明ユニットによるＬＥＤ照明が行われている状態、前記電撃蚊取りユニットの稼働が停止し、前記照明ユニットによるＬＥＤ照明が行われている状態、前記電撃蚊取りユニットが稼働し、前記照明ユニットによるＬＥＤ照明が行われていない状態を切り替え可能になる。【選択図】図１
0003210841.tif 000002
【実用新案登録請求の範囲】
【請求項１】
電撃蚊取りユニットと、照明ユニットとが組み合わされてなる電撃蚊取りランプであって、
前記電撃蚊取りランプと電源との間に介装されているＯＮ／ＯＦＦ切り替えスイッチによって、
前記電撃蚊取りユニットが稼働し、前記照明ユニットによるＬＥＤ照明が行われている状態、
前記電撃蚊取りユニットの稼働が停止し、前記照明ユニットによるＬＥＤ照明が行われている状態、
前記電撃蚊取りユニットが稼働し、前記照明ユニットによるＬＥＤ照明が行われていない状態
を切り替え可能な電撃蚊取りランプ。
【請求項２】
前記照明ユニットは透光性の保護カバーと、当該透光性の保護カバーに覆われてその内側に配備されているＬＥＤとを備えている請求項１記載の電撃蚊取りランプ。
【請求項３】
前記電撃蚊取りユニットは、外周に複数の開口窓部を有する中空の保護カバーと、当該保護カバー内に配置されている電撃格子と、当該電撃格子の内周側に配備されている誘引灯とを備えている請求項１又は２記載の電撃蚊取りランプ。
【考案の詳細な説明】
【技術分野】
【０００１】
この考案は、電撃蚊取りランプ。特に、電源との間に介装されているＯＮ／ＯＦＦ切り替えスイッチによって、電撃蚊取り器及び照明ランプとして機能する状態、電撃蚊取り器としては機能せず照明ランプとしてのみ機能する状態、電撃蚊取り器として機能し照明ランプとしては機能しない状態、電撃蚊取り器としても照明ランプとしても機能しない状態を切り替えることが可能な電撃蚊取りランプに関する。
【背景技術】
【０００２】
電撃殺虫器については従来から種々の提案が行われている。電撃殺虫器の一種として電撃蚊取りランプについての提案も行われている（特許文献１）。これは、蚊を電撃するときに独特の電子音声を生じるものである。
【先行技術文献】
【特許文献】
【０００３】
【特許文献１】実用新案登録第３１２９６４１号
【考案の概要】
【考案が解決しようとする課題】
【０００４】
この考案は、電撃蚊取り器及び照明ランプとして機能する状態、電撃蚊取り器としては機能せず照明ランプとしてのみ機能する状態、電撃蚊取り器として機能し照明ランプとしては機能しない状態、電撃蚊取り器としても照明ランプとしても機能しない状態を切り替えることが可能な電撃蚊取りランプを提案することを目的にしている。
【課題を解決するための手段】
【０００５】
［１］
電撃蚊取りユニットと、照明ユニットとが組み合わされてなる電撃蚊取りランプであって、
前記電撃蚊取りランプと電源との間に介装されているＯＮ／ＯＦＦ切り替えスイッチによって、
前記電撃蚊取りユニットが稼働し、前記照明ユニットによるＬＥＤ照明が行われている状態、
前記電撃蚊取りユニットの稼働が停止し、前記照明ユニットによるＬＥＤ照明が行われている状態、
前記電撃蚊取りユニットが稼働し、前記照明ユニットによるＬＥＤ照明が行われていない状態
を切り替え可能な電撃蚊取りランプ。
【０００６】
［２］
前記照明ユニットは透光性の保護カバーと、当該透光性の保護カバーに覆われてその内側に配備されているＬＥＤとを備えている［１］の電撃蚊取りランプ。
【０００７】
［３］
前記電撃蚊取りユニットは、外周に複数の開口窓部を有する中空の保護カバーと、当該保護カバー内に配置されている電撃格子と、当該電撃格子の内周側に配備されている誘引灯とを備えている［１］又は［２］の電撃蚊取りランプ。
【考案の効果】
【０００８】
この考案によれば、電源との間に介装されているＯＮ／ＯＦＦ切り替えスイッチによって、電撃蚊取り器及び照明ランプとして機能する状態、電撃蚊取り器としては機能せず照明ランプとしてのみ機能する状態、電撃蚊取り器として機能し照明ランプとしては機能しない状態、電撃蚊取り器としても照明ランプとしても機能しない状態を切り替えることが可能な電撃蚊取りランプを提供することができる。
【図面の簡単な説明】
【０００９】
【図１】本考案の一実施形態に係る電撃蚊取りランプの構成を説明する概略図。
【図２】本考案の一実施形態に係る電撃蚊取りランプにおける照明ユニットの底面側を表す図。
【図３】本考案の一実施形態に係る電撃蚊取りランプにおける電撃蚊取りユニットの内部構造を説明する図であって、（ａ）は一部を省略して表す側面図、（ｂ）は一部を省略して表す底面図。
【考案を実施するための形態】
【００１０】
以下、添付図面を参照してこの実施形態の電撃蚊取りランプを説明する。
【００１１】
電撃蚊取りランプ１は、電撃蚊取りユニットと、照明ユニットとが組み合わされて構成されている。図示の実施形態では、図１図示のように、外周に複数の開口窓部３、３、３を有する中空の保護カバー２を備えている電撃蚊取りユニットの下側に、透光性の保護カバー５を備えている照明ユニットが配備されている。
【００１２】
照明ユニットは、透光性の保護カバー５と、透光性の保護カバー５に覆われてその内側に配備されているＬＥＤ９とを備えている。
【００１３】
図示の実施形態では、電撃蚊取りユニットを構成する中空の保護カバー２の下端を塞ぐ塞板部４の下側面４ａに、円周方向で隣接するＬＥＤ９同士の間に所定の間隔を空けて円周状に複数個のＬＥＤ９が配備されている。
【００１４】
そして、保護カバー２の下端を塞ぐ塞板部４の下側面４ａの外周縁部に透光性の保護カバー５の上端側外周縁が装着されて、塞板部４の下側面４ａに配備されている複数個のＬＥＤ９が透光性の保護カバー５の内側で、透光性の保護カバー５に覆われている構造になっている。
【００１５】
電撃蚊取りユニットは、外周に複数の開口窓部３、３、３を有する中空の保護カバー２と、保護カバー２内に配置されている電撃格子６と、電撃格子６の内周側に配備されている誘引灯８とを備えている。
【００１６】
中空の保護カバー２は、電撃格子６からの放電を受けないように、非導電体の合成樹脂製である。
【００１７】
図示の実施形態では、上下方向に伸びる長方形状の開口窓部３が、中空の保護カバー２の円周方向に隣接する開口窓部３同士の間に所定の間隔を空けて複数個形成されている。
【００１８】
保護カバー２の底面２ａの中央には誘引灯８が６個取り付けられている。
【００１９】
誘引灯８を内側に取り囲むように、保護カバー２の底面２ａ（図３（ｂ））から、図１、図３（ａ）中、下側方向に向かって伸びる６本の電撃格子６を一組とし、保護カバー２の底面２ａの円周方向に、互いの間に所定の間隔を空けて６組の電撃格子が配置されている。
【００２０】
誘引灯８は、従来から電撃殺虫器に使用されているもので、多くの昆虫類が敏感に感じ取り、誘引される波長域（３５０ｎｍ〜４００ｎｍ）の光を出すものである。
【００２１】
電撃格子６は、従来から電撃殺虫器に使用されているもので、誘引灯８に引き寄せられて、開口窓部３を通過して中空の保護カバー２の内側に侵入してきた蚊などの虫類が接触したときに、電気ショックを与えて捕虫するものである。薬剤などを使用せず、空気を清浄に保ったまま殺虫できるので、広く使用されている。
【００２２】
図示の実施形態では、互いの間に所定の間隔を空けて上下方向に伸びる６本の電撃格子６の下端には碍子７が取り付けられている（図３）。
【００２３】
また、図示していないが、保護カバー２の上部側内部に、電撃格子６へ高電圧を印加するための高圧印加装置が配備されている。
【００２４】
この実施形態の電撃蚊取りランプは電源ライン１０を介して電源１１に接続されている。電源１１からの電力供給によって、照明ユニットにおけるＬＥＤ９が点灯して照明ユニットによるＬＥＤ照明が行われ、また、電撃蚊取りユニットにおける誘引灯８の点灯及び、電撃格子６への電力供給が行われて、電撃蚊取りユニットが稼働する。
【００２５】
この実施形態の電撃蚊取りランプ１と電源１１との間にはＯＮ／ＯＦＦ切り替えスイッチ１２が介装されている。
【００２６】
ＯＮ／ＯＦＦ切り替えスイッチ１２でのＯＦ、ＯＦＦ切り替え入力によって、電撃蚊取りユニットが稼働し照明ユニットによるＬＥＤ照明が行われている状態（フェーズ１）、電撃蚊取りユニットの稼働が停止し照明ユニットによるＬＥＤ照明が行われている状態（フェーズ２）、電撃蚊取りユニットが稼働し照明ユニットによるＬＥＤ照明が行われていない状態（フェーズ３）、電撃蚊取りユニットの稼働が停止し照明ユニットによるＬＥＤ照明が行われていない状態（フェーズ４）の切り替えを行うことができるようになっている。
【００２７】
（フェーズ１）
フェーズ４の状態でＯＮスイッチ１３を押して入力すると、電撃蚊取りユニットにおける誘引灯８及び電撃格子６へ電力供給が行われて誘引灯８が点灯し電撃蚊取りユニットが稼働する。同時に、照明ユニットにおけるＬＥＤ９に電力供給が行われてＬＥＤ９が点灯して照明ユニットによるＬＥＤ照明が行われる。
【００２８】
（フェーズ３）
フェーズ１の状態で、ＯＮスイッチ１３を押して入力すると、電撃蚊取りユニットにおける誘引灯８及び電撃格子６への電力供給は継続して誘引灯８の点灯、電撃蚊取りユニットの稼働状態は継続するが、照明ユニットにおけるＬＥＤ９への電力供給は停止されてＬＥＤ９が消灯し、照明ユニットによるＬＥＤ照明が行われなくなる。
【００２９】
（フェーズ２）
フェーズ３の状態で、ＯＮスイッチ１３を押して入力すると、電撃蚊取りユニットにおける誘引灯８及び電撃格子６への電力供給が停止されて誘引灯８が消灯して電撃蚊取りユニットの稼働が停止し、照明ユニットにおけるＬＥＤ９に電力供給が行われてＬＥＤ９が点灯して照明ユニットによるＬＥＤ照明が行われる。
【００３０】
（フェーズ４）
ＯＦＦスイッチ１４を押して入力すると以下に説明するようにフェーズ４の状態に切り替えることができる。
【００３１】
フェーズ１の状態でＯＦＦスイッチ１４を押して入力すると、電撃蚊取りユニットにおける誘引灯８及び電撃格子６への電力供給が停止されて誘引灯８が消灯して電撃蚊取りユニットの稼働が停止し、同時に、照明ユニットにおけるＬＥＤ９への電力供給が停止されてＬＥＤ９が消灯し、照明ユニットによるＬＥＤ照明が行われなくなる。
【００３２】
フェーズ２の状態でＯＦＦスイッチ１４を押して入力すると、電撃蚊取りユニットの稼働停止状態は継続し、照明ユニットにおけるＬＥＤ９への電力供給が停止されてＬＥＤ９が消灯し、照明ユニットによるＬＥＤ照明が行われなくなる。
【００３３】
フェーズ３の状態でＯＦＦスイッチ１４を押して入力すると、照明ユニットによるＬＥＤ照明が行われていない状態は継続し、電撃蚊取りユニットにおける誘引灯８及び電撃格子６への電力供給が停止されて誘引灯８が消灯して電撃蚊取りユニットの稼働が停止する。
【００３４】
このようにＯＮ／ＯＦＦ切り替えスイッチ１２でのＯＮ、ＯＦＦ切り替え入力によって、上述したフェーズ１〜フェーズ４への切り替えを行うことができる。
【００３５】
そこで、照明ユニットによってＬＥＤ照明が行われ同時に電撃蚊取りユニットが稼働していて蚊などを殺虫する機能も発揮されている（フェーズ１）、照明ユニットによるＬＥＤ照明だけが行われていて電撃蚊取りユニットによる蚊などを殺虫する機能は発揮されていない（フェーズ２）、電撃蚊取りユニットのみが稼働していて蚊などを殺虫する機能が発揮されているがＬＥＤ照明は行われていない（フェーズ３）、照明ユニットによるＬＥＤ照明も行われていないし、電撃蚊取りユニットによる蚊などを殺虫する機能の発揮もない（フェーズ４）を、使用者が、任意に選択して設定することができる。
【００３６】
例えば、蚊などの虫がいる可能性のあるところでＬＥＤ照明を使用するときにはフェーズ１にし、屋内などで蚊などの虫が入ってこない状態でＬＥＤ照明を使用するときにはフェーズ２にし、蚊などの虫が入ってくるおそれのある部屋で就寝するときにはフェーズ３にし、明るいところで、なおかつ、蚊などの虫がいる可能性がないところでではフェーズ４にする、等の使い分けを簡単にすることができる。
【００３７】
以上、添付図面を参照して本考案の好ましい実施形態を説明したが、本考案はかかる実施形態に限定されるものではなく、実用新案登録請求の範囲の記載から把握される技術的範囲において種々に変更可能である。
【符号の説明】
【００３８】
１    電撃蚊取りランプ
２    中空の保護カバー
３    開口窓部
４    塞板部
５    透光性の保護カバー
６    電撃格子
７    碍子
８    誘引灯
９    ＬＥＤ
１０  電源ライン
１１  電源
１２  ＯＮ／ＯＦＦ切り替えスイッチ
１３  ＯＮスイッチ
１４  ＯＦＦスイッチ
【図１】
0003210841.tif 000003
【図２】
0003210841.tif 000004
【図３】
0003210841.tif 000005